【事件の表示】
　平成１０年特許願第３３８６８５号「光学素子の位置決め装置」拒絶査定不服審判事件〔平成１２年　６月１６日出願公開、特開２０００−１６２４９０〕について、次のとおり審決する。
【結　論】
　本件審判の請求は、成り立たない。
【理　由】
　
１　手続の経緯
　本願は、平成１０年１１月３０日を出願日とする出願であって、平成１９年１２月４日付け拒絶理由通知に対して、平成２０年２月１日付けで手続補正がされたが、同年４月４日付けで拒絶査定され、これに対して、同年５月８日に拒絶査定不服の審判が請求されたものである。
　
２．本願発明
　本願の請求項１に係る発明は、平成２０年２月１日付け手続補正書で補正された明細書及び図面の記載からみて、その特許請求の範囲の請求項１に記載された次のとおりのもの（以下、「本願発明」という。）と認める。
「【特許請求の範囲】
【請求項１】
光学素子が取り付けられた被調整部品に係合する係合部材と、
　前記係合部材を保持すると共に、所定の取付面に沿って移動可能なホルダと、
　前記係合部材を前記取付面に対して付勢する、該取付面と略平行に延びる長尺状の付勢部材と、
　を備えると共に、前記被調整部品を前記取付面に押し当てつつ位置決めする位置決め装置において、
　前記付勢部材を、前記ホルダの前記被調整部材側と反対の側に設けたこと、
　を特徴とする光学素子の位置決め装置。」
　
なお、以下の下線は、すべて当審が付記したものである。
　
３．引用例
　原査定の拒絶の理由に引用された、本願出願前に頒布された刊行物である実願平６２−１８２３２５号（実開平１−８５９１４号）のマイクロフィルム（以下、「引用例１」という。）には、以下の技術事項が記載されている。
　
記載事項ア（第１頁第１３行目乃至第３頁第１４行目）
　
「３ .考案の詳細な説明
産業上の利用分野
　この考案は例えば光ディスクプレーヤーの
光ヘッドに受光センサ基板を取付けるのに用いられる基板取付調整用保持ヘッド
従来の技術　
　
第３図
　光センサを光ヘッド本体に取付ける手段としては、先ず
プリント基板３に受光センサ２を半田付けにより固定する。
保持ヘッド６はテーパーピン６１を持ち、受光基板３の４隅に設けられているガイド孔５に挿入される。
　この状態で受光センサ２の出力信号を測定器で観測しながら保持ヘッド６を第１図に示すように
Ｘ 、Ｙ軸方向に移動
最適位置が選ばれたとき、切欠部６５よりドライバーを挿入して固定ねじ４を締め付ける。これによって基板３は光ヘッド本体１に固定され、受光センサ２は正位置に取付けられることになる。
　従来の基板取付調整用保持ヘッド６は第５図に示すような構造を持ち、基板３のガイド孔５に挿入される
テーパーピン６１はスリープ６２の中を摺動するように支持され、スプリング６２の開口側に突出する様に付勢されている
テーパーピン６１の反対側には延長ロッド６６が設けられ、
　
　ここで、引用例１の第３図乃至第５図から、上記保持ヘッド６が移動するＸ、Ｙ軸方向は、第３図から、光ヘッド本体１に基板３が取り付けられる面に対して、共に平行であること、また、上記スプリング６２によるテーパーピン６１の付勢方向は、光ヘッド本体１に基板３が取り付けられる面に対して、垂直な方向（Ｚ軸の正方向）であることは明らかである。
　また、上記スプリング６２は、上記保持ヘッド６の上記基板３が保持される側と反対の側に設けている点も明らかである。
　
記載事項イ（第５頁第２行目乃至第６頁第５行目）　
　
「　実施例
　この考案の実施例を以下図面を参照して説明する。第１図はこの考案の実施例に係る基板取付用保持ヘッドの要部を示す平面図であり、第２図は同保持ヘッドの平面図である。
　６１０はテーパーピンで、その先端６１１は第３図に示す基板３のガイド孔５に挿入され、これを保持する。テーパーピン６１の他端６１２側はコ字状に折曲げられた平行板ばね６２０の折返し側の端部に固定支持されている。平行板ばね６２０の一対の自由端６２２側は、保持ヘッド枠体６００のアーム６０１あるいは切欠側縁部６０２にねじ６２３により固定されている。
　
テーパーピン６１０を基板３のガイド孔５に挿入して光ヘッド本体１に押しつける
ばね６２０の復元する反力により基板３を光ヘッド本体１に押しつける力を保持し続ける
　
　以上、記載事項ア、イ及び第３図乃至第５図から、引用例１には、次の発明（以下、「引用発明」という。）が記載されていると認められる。
　
「受光センサ２が半田付けにより固定されたプリント基板３のガイド孔５に挿入されるテーパーピン６１と、
　前記テーパーピン６１を持つと共に、前記受光センサ２が固定された前記プリント基板３が光ヘッド本体１に取り付けられる面に対して共に平行であるＸ、Ｙ軸方向に移動する保持ヘッド６と、
　前記テーパーピン６１を前記取り付けられる面に垂直な方向に付勢するスプリング６２と
　を備えると共に、前記プリント基板３を前記光ヘッド本体１に取り付けられる面に対して位置設定する取り付け手段において、
　前記スプリング６２を、前記上記保持ヘッド６の上記基板３が保持される側と反対の側に設けた受光センサの取り付け手段。」
　
　次に、原査定の拒絶の理由に引用された、本願出願前に頒布された刊行物である実願平５−６４６５０号（実開平７−３２７３５号）のＣＤ−ＲＯＭ（以下、「引用例２」という。）には、次の事項が記載されている。
　
記載事項ウ
「【００３７】
　図７に示すように、
位置決めピン６０、６１は、細長の板ばね部材６２の両端に固定
・・・
【００５３】
  カム６７，６８が夫々舌部６３，６４より外れ、板ばね部材６２が直線状に弾性復元する。
【００５４】
  これによって、位置決めピン６０，６１がＺ2 方向に上動し、シャーシ３１の上面より所定の高さＨ2 まで突き出す。
【００５５】
  これにより、孔４３，４４とピン６０，６１とが正常に嵌合する状態となり、
ＣＤ−ＲＯＭカートリッジ２０は正常に位置決めされる。」
　
３．対比
　
　次に、本願発明と引用発明とを対比する。
　
（１）引用発明の「受光センサ２が半田付けにより固定されたプリント基板３のガイド孔５に挿入されるテーパーピン６１」と、本願発明の「光学素子が取り付けられた被調整部品に係合する係合部材」とを対比すると、
　
ア　引用発明の「受光センサ２」は、本願発明の「光学素子」に相当する。
（本願明細書の「【００２７】上述の図１から図３で説明した
光学素子１３０は、
データ検出／フォーカス／トラッキング検出センサー２４、ＡＰＣセンサー２５等
　
イ　引用発明の「半田付けにより固定された」、「プリント基板３」、「ガイド孔５に挿入される」及び「テーパーピン６１」は、それぞれ、本願発明の「取り付けられた」、「被調整部品」、「被調整部品に係合」及び「テーパーピン６１」に相当する。
　　
　以上ア、イから、両者は相当関係にある。
　
（２）引用発明の「前記テーパーピン６１を持つと共に、前記受光センサ２が固定された前記プリント基板３が光ヘッド本体１に取り付けられる面に対して共に平行であるＸ、Ｙ軸方向に移動する保持ヘッド６」と、本願発明の「前記係合部材を保持すると共に、所定の取付面に沿って移動可能なホルダ」とを対比すると、
　
ア　引用発明の「テーパーピン６１」、「持つ」、「前記受光センサ２が固定された前記プリント基板３が光ヘッド本体１に取り付けられる面」及び「保持ヘッド６」は、本願発明の「係合部材」、「保持する」、「所定の
取付面
（なお、本願明細書の「
光学素子１３０は、板部材である調整板１２０に予め固定されており、この調整板１２０を介して光学モジュール１４０のハウジングの側壁（取付面）１４２
　
イ　引用発明の「取り付けられる面に対して共に平行であるＸ、Ｙ軸方向に移動」とは、当該「取り付けられる面」に沿った方向に移動できることを意味するので、本願発明の「所定の取付面に沿って移動可能」に相当する。
　
　以上ア、イから、両者は相当関係にある。
　
（３）引用発明の「前記テーパーピン６１を前記取り付けられる面に垂直な方向に付勢するスプリング６２」と本願発明の「前記係合部材を前記取付面に対して付勢する、該取付面と略平行に延びる長尺状の付勢部材」とを対比すると、引用発明の「テーパーピン６１」、「取り付けられる面」及び「スプリング６２」は、本願発明の「係合部材」、「取付面」及び「付勢部材」にそれぞれ相当し、かつ、本願発明の「付勢部材」の付勢力も、本願明細書の図面【図２】から取付面に垂直な方向にはたらくことからみて、両者は、「前記係合部材を前記取付面に垂直な方向に付勢する付勢部材」の点で一致すると言える。
　
（４）引用発明の「前記プリント基板３を前記光ヘッド本体１に取り付けられる面に対して位置設定する取り付け手段」と本願発明の「前記被調整部品を前記取付面に押し当てつつ位置決めする位置決め装置」とを対比すると、引用発明の「プリント基板３」、「前記光ヘッド本体１に取り付けられる面に対して位置設定する」、及び「取り付け手段」は、本願発明の「被調整部品」、「取付面に・・・位置決めする」及び「位置決め装置」にそれぞれ相当するので、両者は「前記被調整部品を前記取付面に位置決めする位置決め装置」の点で一致する。
　
（５）引用発明の「前記スプリング６２を、前記上記保持ヘッド６の上記基板３が保持される側と反対の側に設けた受光センサの取り付け手段」と本願発明の「前記付勢部材を、前記ホルダの前記被調整部材側と反対の側に設けたこと、を特徴とする光学素子の位置決め装置」とを対比すると、引用発明の「スプリング６２」、「保持ヘッド６」、「基板３」、「保持される側と反対の側」、「受光センサ」及び「取り付け手段」は、本願発明の「付勢部材」、「ホルダ」、「被調整部材」、「反対の側」、「光学素子」及び「位置決め装置」にそれぞれ相当する。
　したがって、両者は相当関係にある。
　
　よって、上記（１）〜（５）の対比考察から、本願発明と引用発明とは、
「光学素子が取り付けられた被調整部品に係合する係合部材と、
　前記係合部材を保持すると共に、所定の取付面に沿って移動可能なホルダと、
　前記係合部材を前記取付面に垂直な方向に付勢する付勢部材と、
　を備えると共に、前記被調整部品を前記取付面に位置決めする位置決め装置において、
　前記付勢部材を、前記ホルダの前記被調整部材側と反対の側に設けた光学素子の位置決め装置。」である点で一致し、以下の点で相違する。
　
相違点１
　
　被調整部品を所定の取付面に位置決め及び取り付ける方法として、本願発明では「係合部材」を「取付面に対して付勢」し、かつ「被調整部品」を「取付面に押し当てつつ位置決め」しているのに対し、引用発明では、その旨明記されていない点。
　
相違点２
　
　「付勢部材」の構成として、本願発明では「取付面と略平行に延びる長尺状の付勢部材」であるのに対して、引用発明では「スプリング」である点。
　
４．当審の判断
　
　上記相違点１，２について、検討する。
　
（１）相違点１について
　
　引用例１には、引用発明とともに、もう一つ別の、テーパーピンを有する保持ヘッドを用いた基板の位置調整手段（以下、「他の手段」という。）について開示されており、そこでは、付勢力が加えられた
テーパーピン
基板
取り付け先（光ヘッド）に押しつけた状態
　ここで、引用例１の引用発明に該当する箇所には明記されていないものの、引用発明と他の手段とは、単にテーパーピンを付勢する手段の構造の部分が異なるのみであることから、テーパーピンを用いて基板を取り付ける際には、同様の手法をとること（即ち、引用発明においても、テーパーピン６１を取付面に対して付勢し、かつ、プリント基板３を取付面に押し当てつつ位置決めすること）は、当業者であれば当然に想起し得る程度の事項である。
　
（２）相違点２について
　
　位置決めピンの付勢部材として、板ばね部材（ピンの付勢方向に対して垂直方向（すなわち、取り付ける面に沿う方向）に、長尺状に略平行に延びる板ばね部材）を用いることは従来周知であり（記載事項ウ及び引用例２の【図７】を参照）、これを引用発明のテーパーピンの付勢部材であるスプリングに換えて採用することについて、当業者にとって格別の困難性は認められない。
　
　また、本願発明によってもたらされる効果は引用例１の記載及び周知の事
項から当業者が予測し得る範囲内のものである。　
　
　よって、本願発明は、引用例１に記載された発明及び周知の事項に基づいて、当業者が容易に発明をすることができたものである。　
　
４．むすび
　
　以上のとおり、本願発明は、原査定の拒絶の理由に引用された引用例１に記載された発明、及び周知の事項に基づいて、当業者が容易に発明をすることができたものであるので、特許法第２９条２項の規定により特許を受けることができないものである。
　したがって、その余の請求項について論及するまでもなく、本願は、拒絶すべきものである。
　
　よって結論のとおり審決する。